(57)【特許請求の範囲】
【請求項１】
第１の柱と第１’の柱の間に断面が四角形の角筒の梁を接続する構造物の接合構造であって、
前記梁は、前記第１の柱から前記第１’の柱に向かって、第１の梁、第２の梁、第１’の梁を有し、
前記第１の梁は、正面視、下底が上底より長い略台形形状であり、前記第１の梁の前記第１の柱の側の傾斜部と下底とのなす角度は９０度、前記第１の梁の前記第１’の柱の側の傾斜部と下底とのなす角度はＡ度（Ａ＜９０）であり、
前記第２の梁は、正面視、上底が下底より長い略台形形状であり、前記第２の梁の前記第１の柱の側の傾斜部と下底とのなす角度はＢ度（１８０度−Ａ度）、前記第２の梁の前記第１’の柱の側の傾斜部と下底とのなす角度はＢ度（１８０度−Ａ度）であり、
前記第１’の梁は、正面視、下底が上底より長い略台形形状であり、前記第１’の梁の第１’の柱の側の傾斜部と下底とのなす角度は９０度、前記第１’の梁の前記第１の柱の側の傾斜部と下底とのなす角度はＡ度であり、
前記第１の柱と前記第１の梁、前記第１’の柱と前記第１’の梁は、それぞれ接続され、
前記第１の梁と前記第２の梁とは、上面を除く他の三面のそれぞれは内側と外側からプレートで挟まれたボルト、ナットによる結合で、前記上面は前記第１の梁の上面部と前記第２の梁の上面部との当接部位を溶接で接合され、
前記第１’の梁と前記第２の梁とは、上面を除く他の三面のそれぞれは内側と外側からプレートで挟まれたボルト、ナットによる結合で、結合で、前記上面は前記第１’の梁の上面部と前記第２の梁の上面部との当接部位を溶接で接合されている
ことを特徴とする構造物の接合構造。
【請求項２】
第１の梁は、正面視、第１の梁の正面部、第１の梁の上面部、第１の梁の背面部、第１の梁の底面部からなり、
前記第１の梁の第１の柱と反対側の端面は、平面視、前記第１’の柱に向かって、第１の梁の底面部が第１の梁の上面部より突出し、
前記第１の梁の底面部から前記第１の梁の上面部に向かって角度Ａ度（Ａ＜９０）の第１の傾斜面が形成され、
前記第１’の梁は、正面視、第１’の梁の正面部、第１’の梁の上面部、第１’の梁の背面部、第１’の梁の底面部からなり、
前記第１’の梁の前記第１’の柱と反対側の端面は、平面視、前記第１の柱に向かって、前記第１’の梁の底面部が前記第１’の梁の上面部より突出し、
前記第１’の梁の底面部から前記第１’の梁の上面部に向かって角度Ａ度（Ａ＜９０）の第１’の傾斜面が形成され、
前記第２の梁は、正面視、第２の梁の正面部、第２の梁の上面部、第２の梁の背面部、第２の梁の底面部からなり、
前記第２の梁の前記第１の柱に向かう端面は、平面視、前記第１の柱に向かって、第２の梁の上面部が第２の梁の底面部より突出し、
前記第２の梁の底面部から前記第２の梁の上面部に向かって角度Ｂ（１８０度−Ａ度）の第２の傾斜面が形成され、
前記第２の梁の前記第１’の柱に向かう端面は、平面視、前記第１’の柱に向かって、前記第２の梁の上面部が前記第２の梁の底面部より突出し、
前記第２の梁の底面部から前記第２の梁の上面部に向かって角度Ｂ（１８０度−Ａ度）の第２’の傾斜面が形成され、
前記第１の梁の正面部の前記第２の梁に向かう端面と前記第２の梁の正面部の前記第１の柱に向かう端面を、
前記第１の梁の上面部の前記第２の梁に向かう端面と前記第２の梁の上面部の前記第１の柱に向かう端面を、
前記第１の梁の背面部の前記第２の梁に向かう端面と前記第２の梁の背面部の前記第１の柱に向かう端面を、
前記第１の梁の底面部の前記第２の梁に向かう端面と前記第２の梁の底面部の前記第１の柱に向かう端面を、
それぞれ当接し、
前記第１’の梁の正面部の前記第２の梁に向かう端面と前記第２の梁の正面部の前記第１’の柱に向かう端面を、
前記第１’の梁の上面部の前記第２の梁に向かう端面と前記第２の梁の上面部の前記第１’の柱に向かう端面を、
前記第１’の梁の背面部の前記第２の梁に向かう端面と前記第２の梁の背面部の前記第１’の柱に向かう端面を、
前記第１’の梁の底面部の前記第２の梁に向かう端面と前記第２の梁の底面部の前記第１’の柱に向かう端面を、
それぞれ当接し、
前記第１の梁の正面部と前記第２の梁の正面部とは、前記梁の内部に位置し、前記第１の梁の正面部と前記第２の梁の正面部とに亘るように形成された第１の内側正面プレートと、前記梁の外部に位置し、前記第１の梁の正面部と前記第２の梁の正面部とに亘るように形成された第１の外側正面プレートとをサンドイッチ状に挟んでボルト、ナットによる接合により締結され、
前記第１の梁の背面部と前記第２の梁の背面部とは、前記梁の内部に位置し、前記第１の梁の背面部と前記第２の梁の背面部とに亘るように形成された第１の内側背面プレートと、前記梁の外部に位置し、前記第１の梁の背面部と前記第２の梁の背面部とに亘るように形成された第１の外側背面プレートとをサンドイッチ状に挟んでボルト、ナットによる接合により締結され、
前記第１の梁の底面部と前記第２の梁の底面部とは、前記梁の内部に位置し、前記第１の梁の底面部と前記第２の梁の底面部とに亘るように形成された第１の内側底面プレートと、前記梁の外部に位置し、前記第１の梁の底面部と前記第２の梁の底面部とに亘るように形成された第１の外側底面プレートとをサンドイッチ状に挟んでボルト、ナットによる接合により締結され、
前記第１の梁の上面部と前記第２の梁の上面部との接合部は、溶接により接合され、
前記第１’の梁の正面部と前記第２の梁の正面部とは、前記梁の内部に位置し、前記第１’の梁の正面部と前記第２の梁の正面部とに亘るように形成された第１’の内側正面プレートと、前記梁の外部に位置し、前記第１’の梁の正面部と前記第２の梁の正面部とに亘るように形成された第１’の外側正面プレートとをサンドイッチ状に挟んでボルト、ナットによる接合により締結され、
前記第１’の梁の背面部と前記第２の梁の背面部とは、前記梁の内部に位置し、前記第１’の梁の背面部と前記第２の梁の背面部とに亘るように形成された第１’の内側背面プレートと、前記梁の外部に位置し、前記第１’の梁の背面部と前記第２の梁の背面部とに亘るように形成された第１’の外側背面プレートとをサンドイッチ状に挟んでボルト、ナットによる接合により締結され、
前記第１’の梁の底面部と前記第２の梁の底面部とは、前記梁の内部に位置し、前記第１’の梁の底面部と前記第２の梁の底面部とに亘るように形成された第１’の内側底面プレートと、前記梁の外部に位置し、前記第１’の梁の底面部と前記第２の梁の底面部とに亘るように形成された第１’の外側底面プレートとをサンドイッチ状に挟んでボルト、ナットによる接合により締結されている
ことを特徴とする請求項１記載の構造物の接合構造。
【請求項３】
第１の柱と第１’の柱の間に断面が四角形の角筒の梁を接続する構造物の接合構造であって、
前記梁は、前記第１の柱から前記第１’の柱に向かって、少なくとも、第１の梁、第２の梁を有し、
前記第１の梁は、正面視、下底が上底より長い略台形形状であり、前記第１の梁の前記第１の柱の側の傾斜部と下底とのなす角度は９０度、前記第１の梁の前記第１’の柱の側の傾斜部と下底とのなす角度はＡ度（Ａ＜９０）であり、
前記第２の梁は、正面視、上底が下底より長い略台形形状であり、前記第２の梁の前記第１の柱の側の傾斜部と下底とのなす角度はＢ度（１８０度−Ａ度）、前記第２の梁の前記第１’の柱の側の傾斜部と下底とのなす角度はＢ度（１８０度−Ａ度）であり、
前記第１の柱と前記第１の梁とは接続され、
前記第１の梁と前記第２の梁とは、上面を除く他の三面のそれぞれは内側と外側からプレートで挟まれたボルト、ナットによる結合で、前記上面は前記第１の梁の上面部と前記第２の梁の上面部との当接部位を溶接で接合されている
ことを特徴とする構造物の接合構造。
【請求項４】
第１の梁は、正面視、第１の梁の正面部、第１の梁の上面部、第１の梁の背面部、第１の梁の底面部からなり、
前記第１の梁の第１の柱と反対側の端面は、平面視、前記第１’の柱に向かって、第１の梁の底面部が第１の梁の上面部より突出し、
前記第１の梁の底面部から前記第１の梁の上面部に向かって角度Ａ度（Ａ＜９０）の第１の傾斜面が形成され、
前記第２の梁は、正面視、第２の梁の正面部、第２の梁の上面部、第２の梁の背面部、第２の梁の底面部からなり、
前記第２の梁の前記第１の柱に向かう端面は、平面視、前記第１の柱に向かって、前記第２の梁の上面部が前記第２の梁の底面部より突出し、
前記第２の梁の底面部から前記第２の梁の上面部に向かって角度Ｂ（１８０度−Ａ度）の第２の傾斜面が形成され、
前記第１の梁の正面部の前記第２の梁に向かう端面と前記第２の梁の正面部の前記第１の柱に向かう端面を、
前記第１の梁の上面部の前記第２の梁に向かう端面と前記第２の梁の上面部の前記第１の柱に向かう端面を、
前記第１の梁の背面部の前記第２の梁に向かう端面と前記第２の梁の背面部の前記第１の柱に向かう端面を、
前記第１の梁の底面部の前記第２の梁に向かう端面と前記第２の梁の底面部の前記第１の柱に向かう端面を、
それぞれ当接し、
前記第１の梁の正面部と前記第２の梁の正面部とは、前記梁の内部に位置し、前記第１の梁の正面部と前記第２の梁の正面部とに亘るように形成された第１の内側正面プレートと、前記梁の外部に位置し、前記第１の梁の正面部と前記第２の梁の正面部とに亘るように形成された第１の外側正面プレートとをサンドイッチ状に挟んでボルト、ナットによる接合により締結され、
前記第１の梁の背面部と前記第２の梁の背面部とは、前記梁の内部に位置し、前記第１の梁の背面部と前記第２の梁の背面部とに亘るように形成された第１の内側背面プレートと、前記梁の外部に位置し、前記第１の梁の背面部と前記第２の梁の背面部とに亘るように形成された第１の外側背面プレートとをサンドイッチ状に挟んでボルト、ナットによる接合により締結され、
前記第１の梁の底面部と前記第２の梁の底面部とは、前記梁の内部に位置し、前記第１の梁の底面部と前記第２の梁の底面部とに亘るように形成された第１の内側底面プレートと、前記梁の外部に位置し、前記第１の梁の底面部と前記第２の梁の底面部とに亘るように形成された第１の外側底面プレートとをサンドイッチ状に挟んでボルト、ナットによる接合により締結され、
前記第１の梁の上面部と前記第２の梁の上面部との接合部は、溶接により接合されている
ことを特徴とする請求項３記載の構造物の接合構造。
【請求項５】
断面が四角形の角筒の第１の梁と断面が四角形の角筒の第２の梁を接続する梁の接合方法であって、
前記第１の梁の前記第２の梁へ接続される部位は、正面視、前記第１の梁の底面部から前記第１の梁の上面部に向かって形成された角度Ａ度（Ａ＜９０）の第１の傾斜面であり、
前記第２の梁の前記第１の梁へ接続される部位は、正面視、前記第２の梁の底面部から前記第２の梁の上面部に向かって形成された角度Ｂ度（１８０度−Ａ度）の第２の傾斜面であり、
前記第１の梁の正面部と前記第２の梁の正面部との接続部位は、内側から第１の内側正面プレート、外側から第１の外側正面プレートで挟持されるものであり、
前記第１の梁の背面部と前記第２の梁の背面部との接続部位は、内側から第１の内側背面プレート、外側から第１の外側背面プレートで挟持されるものであり、
前記第１の梁の底面部と前記第２の梁の底面部との接続部位は、内側から第１の内側底面プレート、外側から第１の外側底面プレートで挟持されるものであり、
前記第１の外側正面プレートは、第１の外側仮締め正面穴、第１の外側正面穴を有し、
前記第１の内側正面プレートは、前記第１の外側仮締め正面穴に対応する第１の内側仮締め正面穴、前記第１の外側正面穴に対応し、雌ネジが切られた第１の内側正面ネジ穴を有し、
前記第１の梁の正面部は、仮締め正面穴を有し、
前記第２の梁の正面部は、前記第１の外側正面穴及び前記第１の内側正面ネジ穴に対応する第１の正面穴を有し、
前記第１の外側背面プレートは、第１の外側仮締め背面穴、第１の外側背面穴を有し、
前記第１の内側背面プレートは、前記第１の外側仮締め背面穴に対応する第１の内側仮止め背面穴、前記第１の外側背面穴に対応し、雌ネジが切られた第１の内側背面ネジ穴を有し、
前記第１の梁の背面部は、仮締め背面穴を有し、
前記第２の梁の背面部は、前記第１の外側背面穴及び前記第１の内側背面ネジ穴に対応する第１の背面穴を有し、
前記第１の外側底面プレートは、第１の外側仮締め底面穴、第１の外側底面穴、第２の外側底面穴を有し、
前記第１の内側底面プレートは、第１の内側仮締め底面穴、前記第２の外側底面穴に対応し、雌ネジが切られた第１の内側底面ネジ穴、前記第１の外側底面穴に対応し、雌ネジが切られた第２の内側底面ネジ穴を有し、
前記第１の梁の底面は、前記第１の外側仮締め底面穴に対応する第１の梁内底面穴、前記第１の外側底面穴及び前記第２の内側底面ネジ穴に対応する第１の梁外底面穴を有し、
前記第２の梁の底面は、第１の内側仮締め底面穴に対応する第２の梁内底面穴、第１の内側底面ネジ穴及び第２の外側底面穴に対応する第２の梁外底面穴を有し、
前記第１の梁の正面部と前記第２の梁の正面部との連結は、
前記第１の外側仮締め正面穴、前記仮締め正面穴，前記第１の内側仮締め正面穴を介して第１のボルト、第１のナットで前記第１の梁の正面部の内側と外側に前記第１の内側正面プレート、前記第１の外側正面プレートを仮締めし、頭部と反対側の端部を外側に位置するように前記第１の内側正面ネジ穴に第２のボルトを螺合して立設させて仮止めし（この状態を「第１’の正面状態」という）、この第１’の正面状態にある前記第１の梁の正面部の端部と前記第２の梁の正面部の端部とを当接させると共に、前記第１の内側正面ネジ穴、前記第１の正面穴、前記第１の外側正面穴の各穴を一致させ、一致後、立設させた前記第２のボルトの頭部と反対側の端部をそれぞれ、外側に引き出して、第２のナットで連結するものであり、
前記第１の梁の背面部と前記第２の梁の背面部との連結は、
前記第１の外側仮締め背面穴、前記仮締め背面穴、前記第１の内側仮締め背面穴を介して第３のボルト、第３のナットで前記第１の梁の背面部の内側と外側に前記第１の内側背面プレート、前記第１の外側背面プレートを仮締めし、頭部と反対側の端部を外側に位置するように第１の内側背面ネジ穴に第４のボルトを、螺合して立設させて仮止めし（この状態を「第１’の背面状態」という）、この第１’の背面状態にある前記第１の梁の背面部の端部と前記第２の梁の背面部の端部とを当接させると共に、前記第１の内側背面ネジ穴、前記第１の背面穴、前記第１の外側背面穴の各穴を一致させ、一致後、立設させた第４のボルトの頭部と反対側の端部をそれぞれ、外側に引き出して、前記第４のナットで連結するものであり、
前記第１の梁の底面部と前記第２の梁の底面部との連結は、
前記第１の梁内底面穴、前記第１の外側仮締め底面穴を介して第８のボルト、第８のナットで前記第１の梁の底面部の外側に前記第１の外側底面プレートを仮締めし（この状態を「第１の底面状態」という）、
前記第１の内側仮締め底面穴、前記第２の梁内底面穴を介して第５のボルト、第５のナットで前記第２の梁の底面部の内側に前記第１の内側底面プレートを仮締めし、頭部と反対側の端部を外側に位置するように前記第１の内側底面ネジ穴及び前記第２の内側底面ネジ穴に、それぞれ第６、第７のボルトを螺合して立設させて仮止めし（この状態を「第２の底面状態」という）、
この第２の底面状態にある前記第２の梁の底面部の端部と前記第１の底面状態にある前記第１の梁の底面部の端部とを当接させると共に、前記第１の内側底面ネジ穴、前記第２の梁外底面穴、前記第２の外側底面穴の各穴、前記第２の内側底面ネジ穴、前記第１の梁外底面穴、前記第１の外側底面穴の各穴を一致させ、一致後、立設させた前記第６、第７のボルトの頭部と反対側の端部をそれぞれ、外側に引き出して、第６、第７のナットでそれぞれ連結するものであり、
前記第１の梁の上面部と前記第２の梁の上面部との当接部位を溶接により接合する
ことを特徴とする梁の接合方法。
【請求項６】
断面が四角形の角筒の第１の梁と断面が四角形の角筒の第２の梁を接続する梁の接合方法であって、
前記第１の梁の前記第２の梁へ接続される部位は、正面視、前記第１の梁の底面部から前記第１の梁の上面部に向かって形成された角度Ａ度（Ａ＜９０）の第１の傾斜面であり、
前記第２の梁の前記第１の梁へ接続される部位は、正面視、前記第２の梁の底面部から前記第２の梁の上面部に向かって形成された角度Ｂ度（１８０度−Ａ度）の第２の傾斜面であり、
前記第１の梁の正面部と前記第２の梁の正面部との接続部位は、内側から第１の内側正面プレート、外側から第１の外側正面プレートで挟持されるものであり、
前記第１の梁の背面部と前記第２の梁の背面部との接続部位は、内側から第１の内側背面プレート、外側から第１の外側背面プレートで挟持されるものであり、
前記第１の梁の底面部と前記第２の梁の底面部との接続部位は、内側から第１の内側底面プレート、外側から第１の外側底面プレートで挟持されるものであり、
前記第１の外側正面プレートは、第１の外側仮締め正面穴、第１の外側正面穴を有し、
前記第１の内側正面プレートは、前記第１の外側仮締め正面穴に対応する第１の内側仮締め正面穴、前記第１の外側正面穴に対応し、雌ネジが切られた第１の内側正面ネジ穴を有し、
前記第１の梁の正面部は、前記第１の外側正面穴及び前記第１の内側正面ネジ穴に対応する第１の正面穴を有し、
前記第２の梁の正面部は、仮締め正面穴を有し、
前記第１の外側背面プレートは、第１の外側仮締め背面穴、第１の外側背面穴を有し、
前記第１の内側背面プレートは、前記第１の外側仮締め背面穴に対応する第１の内側仮締め背面穴、前記第１の外側背面穴に対応し、雌ネジが切られた第１の内側背面ネジ穴を有し、
前記第１の梁の背面部は、前記第１の外側背面穴及び前記第１の内側背面ネジ穴に対応する第１の背面穴を有し、
前記第２の梁の背面部は、仮締め背面穴を有し、
前記第１の外側底面プレートは、第１の外側仮止締め面穴、第１の外側底面穴、第２の外側底面穴を有し、
前記第１の内側底面プレートは、第１の内側仮締め底面穴、前記第２の外側底面穴に対応し、雌ネジが切られた第１の内側底面ネジ穴、前記第１の外側底面穴に対応し、雌ネジが切られた第２の内側底面ネジ穴を有し、
前記第１の梁の底面は、前記第１の外側仮締め底面穴に対応する第１の梁内底面穴、前記第１の外側底面穴及び前記第２の内側底面ネジ穴に対応する第１の梁外底面穴を有し、
前記第２の梁の底面は、第１の内側仮締め底面穴に対応する第２の梁内底面穴、第１の内側底面ネジ穴及び第２の外側底面穴に対応する第２の梁外底面穴を有し、
前記第１の梁の正面部と前記第２の梁の正面部との連結は、
前記第１の外側仮締め正面穴、前記仮締め正面穴，前記第１の内側仮締め正面穴を介して第１のボルト、第１のナットで前記第２の梁の正面部の内側と外側に前記第１の内側正面プレート、前記第１の外側正面プレートを仮締めし、頭部と反対側の端部を外側に位置するように前記第１の内側正面ネジ穴に第２のボルトを螺合して立設させて仮止めし（この状態を「第１の正面状態」という）、この第１の正面状態にある前記第２の梁の正面部の端部と前記第１の梁の正面部の端部とを当接させると共に、前記第１の内側正面ネジ穴、前記第１の正面穴、前記第１の外側正面穴の各穴を一致させ、一致後、立設させた前記第２のボルトの頭部と反対側の端部をそれぞれ、外側に引き出して、第２のナットで連結するものであり、
前記第１の梁の背面部と前記第２の梁の背面部との連結は、
前記第１の外側仮締め背面穴、前記仮締め背面穴、前記第１の内側仮締め背面穴を介して第３のボルト、第３のナットで前記第２の梁の背面部の内側と外側に前記第１の内側背面プレート、前記第１の外側背面プレートを仮締めし、頭部と反対側の端部を外側に位置するように第１の内側背面ネジ穴に第４のボルトを、螺合して立設させて仮止めし（この状態を「第１の背面状態」という）、この第１の背面状態にある前記第２の梁の背面部の端部と前記第１の梁の背面部の端部とを当接させると共に、前記第１の内側背面ネジ穴、前記第１の背面穴、前記第１の外側背面穴の各穴を一致させ、一致後、立設させた第４のボルトの頭部と反対側の端部をそれぞれ、外側に引き出して、第４のナットで連結するものであり、
前記第１の梁の底面部と前記第２の梁の底面部との連結は、
前記第１の梁内底面穴、前記第１の外側仮締め底面穴を介して第８のボルト、第８のナットで前記第１の梁の底面部の外側に前記第１の外側底面プレートを仮締めし、（この状態を「第１の底面状態」という）、
前記第１の内側仮締め底面穴、前記第２の梁内底面穴を介して第５のボルト、第５のナットで前記第２の梁の底面部の内側に前記第１の内側底面プレートを仮締めし、頭部と反対側の端部を外側に位置するように前記第１の内側底面ネジ穴及び前記第２の内側底面ネジ穴に、それぞれ第６、第７のボルトを螺合して立設させて仮止めし（この状態を「第２の底面状態」という）、
この第２の底面状態にある前記第２の梁の底面部の端部と前記第１の底面状態にある前記第１の梁の底面部の端部とを当接させると共に、前記第１の内側底面ネジ穴、前記第２の梁外底面穴、前記第２の外側底面穴の各穴、前記第２の内側底面ネジ穴、前記第１の梁外底面穴、前記第１の外側底面穴の各穴を一致させ、一致後、立設させた前記第６、第７のボルトの頭部と反対側の端部をそれぞれ、外側に引き出して、第６、第７のナットでそれぞれ連結するものであり、
前記第１の梁の上面部と前記第２の梁の上面部との当接部位を溶接により接合する
ことを特徴とする梁の接合方法。
【発明の詳細な説明】
【技術分野】
【０００１】
本発明は、構造物の接合構造及び梁の接合方法に係り、特に、強度的に強く、しかも、溶接を少なくし、高所での作業性の改善を図ることができるボルト接合による構造物の接合構造及び梁の接合方法に関する。
【背景技術】
【０００２】
従来、梁と梁とを接合する場合、プレートを介してボルトで接合している（例えば、特許文献１参照）。
梁がＨ鋼の場合、プレートを介してボルトで接合することができるが、Ｈ鋼の梁は断面が四角形の角筒の梁に比べ、曲げ強度に対して梁背が大きくなる弱い面を有している。
【先行技術文献】
【特許文献】
【０００３】
【特許文献１】特開２００５−２９９１３０号公報
【発明の概要】
【発明が解決しようとする課題】
【０００４】
しかしながら、強度的に強い断面が四角形の角筒の梁の場合、ボルトによる摩擦接合が困難で溶接に頼らなければならず、溶接の場合、時間と労力等がかかり、加えて、高所での作業を伴うため、危険であるという問題点があった。
【０００５】
本発明は、上記の問題点を考慮しなされたもので、強度的に強く、しかも、ボルトによる摩擦接合を可能とし溶接を少なくし、高所での作業性の改善を図ることができる構造物の接合構造及び梁の接合方法を提供することを目的とする。
【課題を解決するための手段】
【０００６】
請求項１記載の構造物の接合構造は、第１の柱と第１’の柱の間に断面が四角形の角筒の梁を接続する構造物の接合構造であって、前記梁は、前記第１の柱から前記第１’の柱に向かって、第１の梁、第２の梁、第１’の梁を有し、前記第１の梁は、正面視、下底が上底より長い略台形形状であり、前記第１の梁の前記第１の柱の側の傾斜部と下底とのなす角度は９０度、前記第１の梁の前記第１’の柱の側の傾斜部と下底とのなす角度はＡ度（Ａ＜９０）であり、前記第２の梁は、正面視、上底が下底より長い略台形形状であり、前記第２の梁の前記第１の柱の側の傾斜部と下底とのなす角度はＢ度（１８０度−Ａ度）、前記第２の梁の前記第１’の柱の側の傾斜部と下底とのなす角度はＢ度（１８０度−Ａ度）であり、前記第１’の梁は、正面視、下底が上底より長い略台形形状であり、前記第１’の梁の第１’の柱の側の傾斜部と下底とのなす角度は９０度、前記第１’の梁の前記第１の柱の側の傾斜部と下底とのなす角度はＡ度であり、前記第１の柱と前記第１の梁、前記第１’の柱と前記第１’の梁は、それぞれ接続され、前記第１の梁と前記第２の梁とは、上面を除く他の三面のそれぞれは内側と外側からプレートで挟まれたボルト、ナットによる結合で、前記上面は前記第１の梁の上面部と前記第２の梁の上面部との当接部位を溶接で接合され、前記第１’の梁と前記第２の梁とは、上面を除く他の三面のそれぞれは内側と外側からプレートで挟まれたボルト、ナットによる結合で、結合で、前記上面は前記第１’の梁の上面部と前記第２の梁の上面部との当接部位を溶接で接合されているものである。
【０００７】
また、請求項２記載の鉄構造物の接合構造は、請求項１記載の構造物の接合構造において、第１の梁は、正面視、第１の梁の正面部、第１の梁の上面部、第１の梁の背面部、第１の梁の底面部からなり、前記第１の梁の第１の柱と反対側の端面は、平面視、前記第１’の柱に向かって、第１の梁の底面部が第１の梁の上面部より突出し、前記第１の梁の底面部から前記第１の梁の上面部に向かって角度Ａ度（Ａ＜９０）の第１の傾斜面が形成され、前記第１’の梁は、正面視、第１’の梁の正面部、第１’の梁の上面部、第１’の梁の背面部、第１’の梁の底面部からなり、前記第１’の梁の前記第１’の柱と反対側の端面は、平面視、前記第１の柱に向かって、前記第１’の梁の底面部が前記第１’の梁の上面部より突出し、前記第１’の梁の底面部から前記第１’の梁の上面部に向かって角度Ａ度（Ａ＜９０）の第１’の傾斜面が形成され、前記第２の梁は、正面視、第２の梁の正面部、第２の梁の上面部、第２の梁の背面部、第２の梁の底面部からなり、前記第２の梁の前記第１の柱に向かう端面は、平面視、前記第１の柱に向かって、第２の梁の上面部が第２の梁の底面部より突出し、前記第２の梁の底面部から前記第２の梁の上面部に向かって角度Ｂ（１８０度−Ａ度）の第２の傾斜面が形成され、前記第２の梁の前記第１’の柱に向かう端面は、平面視、前記第１’の柱に向かって、前記第２の梁の上面部が前記第２の梁の底面部より突出し、前記第２の梁の底面部から前記第２の梁の上面部に向かって角度Ｂ（１８０度−Ａ度）の第２’の傾斜面が形成され、前記第１の梁の正面部の前記第２の梁に向かう端面と前記第２の梁の正面部の前記第１の柱に向かう端面を、前記第１の梁の上面部の前記第２の梁に向かう端面と前記第２の梁の上面部の前記第１の柱に向かう端面を、前記第１の梁の背面部の前記第２の梁に向かう端面と前記第２の梁の背面部の前記第１の柱に向かう端面を、前記第１の梁の底面部の前記第２の梁に向かう端面と前記第２の梁の底面部の前記第１の柱に向かう端面を、それぞれ当接し、前記第１’の梁の正面部の前記第２の梁に向かう端面と前記第２の梁の正面部の前記第１’の柱に向かう端面を、前記第１’の梁の上面部の前記第２の梁に向かう端面と前記第２の梁の上面部の前記第１’の柱に向かう端面を、前記第１’の梁の背面部の前記第２の梁に向かう端面と前記第２の梁の背面部の前記第１’の柱に向かう端面を、前記第１’の梁の底面部の前記第２の梁に向かう端面と前記第２の梁の底面部の前記第１’の柱に向かう端面を、それぞれ当接し、前記第１の梁の正面部と前記第２の梁の正面部とは、前記梁の内部に位置し、前記第１の梁の正面部と前記第２の梁の正面部とに亘るように形成された第１の内側正面プレートと、前記梁の外部に位置し、前記第１の梁の正面部と前記第２の梁の正面部とに亘るように形成された第１の外側正面プレートとをサンドイッチ状に挟んでボルト、ナットによる接合により締結され、前記第１の梁の背面部と前記第２の梁の背面部とは、前記梁の内部に位置し、前記第１の梁の背面部と前記第２の梁の背面部とに亘るように形成された第１の内側背面プレートと、前記梁の外部に位置し、前記第１の梁の背面部と前記第２の梁の背面部とに亘るように形成された第１の外側背面プレートとをサンドイッチ状に挟んでボルト、ナットによる接合により締結され、前記第１の梁の底面部と前記第２の梁の底面部とは、前記梁の内部に位置し、前記第１の梁の底面部と前記第２の梁の底面部とに亘るように形成された第１の内側底面プレートと、前記梁の外部に位置し、前記第１の梁の底面部と前記第２の梁の底面部とに亘るように形成された第１の外側底面プレートとをサンドイッチ状に挟んでボルト、ナットによる接合により締結され、前記第１の梁の上面部と前記第２の梁の上面部との接合部は、溶接により接合され、前記第１’の梁の正面部と前記第２の梁の正面部とは、前記梁の内部に位置し、前記第１’の梁の正面部と前記第２の梁の正面部とに亘るように形成された第１’の内側正面プレートと、前記梁の外部に位置し、前記第１’の梁の正面部と前記第２の梁の正面部とに亘るように形成された第１’の外側正面プレートとをサンドイッチ状に挟んでボルト、ナットによる接合により締結され、
前記第１’の梁の背面部と前記第２の梁の背面部とは、前記梁の内部に位置し、前記第１’の梁の背面部と前記第２の梁の背面部とに亘るように形成された第１’の内側背面プレートと、前記梁の外部に位置し、前記第１’の梁の背面部と前記第２の梁の背面部とに亘るように形成された第１’の外側背面プレートとをサンドイッチ状に挟んでボルト、ナットによる接合により締結され、前記第１’の梁の底面部と前記第２の梁の底面部とは、前記梁の内部に位置し、前記第１’の梁の底面部と前記第２の梁の底面部とに亘るように形成された第１’の内側底面プレートと、前記梁の外部に位置し、前記第１’の梁の底面部と前記第２の梁の底面部とに亘るように形成された第１’の外側底面プレートとをサンドイッチ状に挟んでボルト、ナットによる接合により締結されているものである。
【０００８】
また、請求項３記載の構造物の接合構造は、第１の柱と第１’の柱の間に断面が四角形の角筒の梁を接続する構造物の接合構造であって、前記梁は、前記第１の柱から前記第１’の柱に向かって、少なくとも、第１の梁、第２の梁を有し、前記第１の梁は、正面視、下底が上底より長い略台形形状であり、前記第１の梁の前記第１の柱の側の傾斜部と下底とのなす角度は９０度、前記第１の梁の前記第１’の柱の側の傾斜部と下底とのなす角度はＡ度（Ａ＜９０）であり、前記第２の梁は、正面視、上底が下底より長い略台形形状であり、前記第２の梁の前記第１の柱の側の傾斜部と下底とのなす角度はＢ度（１８０度−Ａ度）、前記第２の梁の前記第１’の柱の側の傾斜部と下底とのなす角度はＢ度（１８０度−Ａ度）であり、前記第１の柱と前記第１の梁とは接続され、前記第１の梁と前記第２の梁とは、上面を除く他の三面のそれぞれは内側と外側からプレートで挟まれたボルト、ナットによる結合で、前記上面は前記第１の梁の上面部と前記第２の梁の上面部との当接部位を溶接で接合されているものである。
【０００９】
また、請求項４記載の構造物の接合構造は、請求項３記載の構造物の接合構造において、第１の梁は、正面視、第１の梁の正面部、第１の梁の上面部、第１の梁の背面部、第１の梁の底面部からなり、前記第１の梁の第１の柱と反対側の端面は、平面視、前記第１’の柱に向かって、第１の梁の底面部が第１の梁の上面部より突出し、前記第１の梁の底面部から前記第１の梁の上面部に向かって角度Ａ度（Ａ＜９０）の第１の傾斜面が形成され、前記第２の梁は、正面視、第２の梁の正面部、第２の梁の上面部、第２の梁の背面部、第２の梁の底面部からなり、前記第２の梁の前記第１の柱に向かう端面は、平面視、前記第１の柱に向かって、前記第２の梁の上面部が前記第２の梁の底面部より突出し、前記第２の梁の底面部から前記第２の梁の上面部に向かって角度Ｂ（１８０度−Ａ度）の第２の傾斜面が形成され、前記第１の梁の正面部の前記第２の梁に向かう端面と前記第２の梁の正面部の前記第１の柱に向かう端面を、前記第１の梁の上面部の前記第２の梁に向かう端面と前記第２の梁の上面部の前記第１の柱に向かう端面を、前記第１の梁の背面部の前記第２の梁に向かう端面と前記第２の梁の背面部の前記第１の柱に向かう端面を、前記第１の梁の底面部の前記第２の梁に向かう端面と前記第２の梁の底面部の前記第１の柱に向かう端面を、それぞれ当接し、前記第１の梁の正面部と前記第２の梁の正面部とは、前記梁の内部に位置し、前記第１の梁の正面部と前記第２の梁の正面部とに亘るように形成された第１の内側正面プレートと、前記梁の外部に位置し、前記第１の梁の正面部と前記第２の梁の正面部とに亘るように形成された第１の外側正面プレートとをサンドイッチ状に挟んでボルト、ナットによる接合により締結され、前記第１の梁の背面部と前記第２の梁の背面部とは、前記梁の内部に位置し、前記第１の梁の背面部と前記第２の梁の背面部とに亘るように形成された第１の内側背面プレートと、前記梁の外部に位置し、前記第１の梁の背面部と前記第２の梁の背面部とに亘るように形成された第１の外側背面プレートとをサンドイッチ状に挟んでボルト、ナットによる接合により締結され、前記第１の梁の底面部と前記第２の梁の底面部とは、前記梁の内部に位置し、前記第１の梁の底面部と前記第２の梁の底面部とに亘るように形成された第１の内側底面プレートと、前記梁の外部に位置し、前記第１の梁の底面部と前記第２の梁の底面部とに亘るように形成された第１の外側底面プレートとをサンドイッチ状に挟んでボルト、ナットによる接合により締結され、前記第１の梁の上面部と前記第２の梁の上面部との接合部は、溶接により接合されているものである。
【００１０】
また、請求項５記載の梁の接合方法は、 断面が四角形の角筒の第１の梁と断面が四角形の角筒の第２の梁を接続する梁の接合方法であって、前記第１の梁の前記第２の梁へ接続される部位は、正面視、前記第１の梁の底面部から前記第１の梁の上面部に向かって形成された角度Ａ度（Ａ＜９０）の第１の傾斜面であり、前記第２の梁の前記第１の梁へ接続される部位は、正面視、前記第２の梁の底面部から前記第２の梁の上面部に向かって形成された角度Ｂ度（１８０度−Ａ度）の第２の傾斜面であり、前記第１の梁の正面部と前記第２の梁の正面部との接続部位は、内側から第１の内側正面プレート、外側から第１の外側正面プレートで挟持されるものであり、前記第１の梁の背面部と前記第２の梁の背面部との接続部位は、内側から第１の内側背面プレート、外側から第１の外側背面プレートで挟持されるものであり、前記第１の梁の底面部と前記第２の梁の底面部との接続部位は、内側から第１の内側底面プレート、外側から第１の外側底面プレートで挟持されるものであり、前記第１の外側正面プレートは、第１の外側仮締め正面穴、第１の外側正面穴を有し、前記第１の内側正面プレートは、前記第１の外側仮締め正面穴に対応する第１の内側仮締め正面穴、前記第１の外側正面穴に対応し、雌ネジが切られた第１の内側正面ネジ穴を有し、前記第１の梁の正面部は、仮締め正面穴を有し、前記第２の梁の正面部は、前記第１の外側正面穴及び前記第１の内側正面ネジ穴に対応する第１の正面穴を有し、 前記第１の外側背面プレートは、第１の外側仮締め背面穴、第１の外側背面穴を有し、前記第１の内側背面プレートは、前記第１の外側仮締め背面穴に対応する第１の内側仮止め背面穴、前記第１の外側背面穴に対応し、雌ネジが切られた第１の内側背面ネジ穴を有し、前記第１の梁の背面部は、仮締め背面穴を有し、前記第２の梁の背面部は、前記第１の外側背面穴及び前記第１の内側背面ネジ穴に対応する第１の背面穴を有し、前記第１の外側底面プレートは、第１の外側仮締め底面穴、第１の外側底面穴、第２の外側底面穴を有し、前記第１の内側底面プレートは、第１の内側仮締め底面穴、前記第２の外側底面穴に対応し、雌ネジが切られた第１の内側底面ネジ穴、前記第１の外側底面穴に対応し、雌ネジが切られた第２の内側底面ネジ穴を有し、前記第１の梁の底面は、前記第１の外側仮締め底面穴に対応する第１の梁内底面穴、前記第１の外側底面穴及び前記第２の内側底面ネジ穴に対応する第１の梁外底面穴を有し、前記第２の梁の底面は、第１の内側仮締め底面穴に対応する第２の梁内底面穴、第１の内側底面ネジ穴及び第２の外側底面穴に対応する第２の梁外底面穴を有し、前記第１の梁の正面部と前記第２の梁の正面部との連結は、前記第１の外側仮締め正面穴、前記仮締め正面穴，前記第１の内側仮締め正面穴を介して第１のボルト、第１のナットで前記第１の梁の正面部の内側と外側に前記第１の内側正面プレート、前記第１の外側正面プレートを仮締めし、頭部と反対側の端部を外側に位置するように前記第１の内側正面ネジ穴に第２のボルトを螺合して立設させて仮止めし（この状態を「第１’の正面状態」という）、この第１’の正面状態にある前記第１の梁の正面部の端部と前記第２���梁の正面部の端部とを当接させると共に、前記第１の内側正面ネジ穴、前記第１の正面穴、前記第１の外側正面穴の各穴を一致させ、一致後、立設させた前記第２のボルトの頭部と反対側の端部をそれぞれ、外側に引き出して、第２のナットで連結するものであり、前記第１の梁の背面部と前記第２の梁の背面部との連結は、前記第１の外側仮締め背面穴、前記仮締め背面穴、前記第１の内側仮締め背面穴を介して第３のボルト、第３のナットで前記第１の梁の背面部の内側と外側に前記第１の内側背面プレート、前記第１の外側背面プレートを仮締めし、頭部と反対側の端部を外側に位置するように第１の内側背面ネジ穴に第４のボルトを、螺合して立設させて仮止めし（この状態を「第１’の背面状態」という）、この第１’の背面状態にある前記第１の梁の背面部の端部と前記第２の梁の背面部の端部とを当接させると共に、前記第１の内側背面ネジ穴、前記第１の背面穴、前記第１の外側背面穴の各穴を一致させ、一致後、立設させた第４のボルトの頭部と反対側の端部をそれぞれ、外側に引き出して、前記第４のナットで連結するものであり、前記第１の梁の底面部と前記第２の梁の底面部との連結は、前記第１の梁内底面穴、前記第１の外側仮締め底面穴を介して第８のボルト、第８のナットで前記第１の梁の底面部の外側に前記第１の外側底面プレートを仮締めし（この状態を「第１の底面状態」という）、前記第１の内側仮締め底面穴、前記第２の梁内底面穴を介して第５のボルト、第５のナットで前記第２の梁の底面部の内側に前記第１の内側底面プレートを仮締めし、頭部と反対側の端部を外側に位置するように前記第１の内側底面ネジ穴及び前記第２の内側底面ネジ穴に、それぞれ第６、第７のボルトを螺合して立設させて仮止めし（この状態を「第２の底面状態」という）、この第２の底面状態にある前記第２の梁の底面部の端部と前記第１の底面状態にある前記第１の梁の底面部の端部とを当接させると共に、前記第１の内側底面ネジ穴、前記第２の梁外底面穴、前記第２の外側底面穴の各穴、前記第２の内側底面ネジ穴、前記第１の梁外底面穴、前記第１の外側底面穴の各穴を一致させ、一致後、立設させた前記第６、第７のボルトの頭部と反対側の端部をそれぞれ、外側に引き出して、第６、第７のナットでそれぞれ連結するものであり、前記第１の梁の上面部と前記第２の梁の上面部との当接部位を溶接により接合するものである。
【００１１】
また、請求項６記載の梁の接合方法は、断面が四角形の角筒の第１の梁と断面が四角形の角筒の第２の梁を接続する梁の接合方法であって、前記第１の梁の前記第２の梁へ接続される部位は、正面視、前記第１の梁の底面部から前記第１の梁の上面部に向かって形成された角度Ａ度（Ａ＜９０）の第１の傾斜面であり、前記第２の梁の前記第１の梁へ接続される部位は、正面視、前記第２の梁の底面部から前記第２の梁の上面部に向かって形成された角度Ｂ度（１８０度−Ａ度）の第２の傾斜面であり、前記第１の梁の正面部と前記第２の梁の正面部との接続部位は、内側から第１の内側正面プレート、外側から第１の外側正面プレートで挟持されるものであり、前記第１の梁の背面部と前記第２の梁の背面部との接続部位は、内側から第１の内側背面プレート、外側から第１の外側背面プレートで挟持されるものであり、前記第１の梁の底面部と前記第２の梁の底面部との接続部位は、内側から第１の内側底面プレート、外側から第１の外側底面プレートで挟持されるものであり、前記第１の外側正面プレートは、第１の外側仮締め正面穴、第１の外側正面穴を有し、前記第１の内側正面プレートは、前記第１の外側仮締め正面穴に対応する第１の内側仮締め正面穴、前記第１の外側正面穴に対応し、雌ネジが切られた第１の内側正面ネジ穴を有し、前記第１の梁の正面部は、前記第１の外側正面穴及び前記第１の内側正面ネジ穴に対応する第１の正面穴を有し、前記第２の梁の正面部は、仮締め正面穴を有し、前記第１の外側背面プレートは、第１の外側仮締め背面穴、第１の外側背面穴を有し、前記第１の内側背面プレートは、前記第１の外側仮締め背面穴に対応する第１の内側仮締め背面穴、前記第１の外側背面穴に対応し、雌ネジが切られた第１の内側背面ネジ穴を有し、前記第１の梁の背面部は、前記第１の外側背面穴及び前記第１の内側背面ネジ穴に対応する第１の背面穴を有し、前記第２の梁の背面部は、仮締め背面穴を有し、前記第１の外側底面プレートは、第１の外側仮止締め面穴、第１の外側底面穴、第２の外側底面穴を有し、前記第１の内側底面プレートは、第１の内側仮締め底面穴、前記第２の外側底面穴に対応し、雌ネジが切られた第１の内側底面ネジ穴、前記第１の外側底面穴に対応し、雌ネジが切られた第２の内側底面ネジ穴を有し、前記第１の梁の底面は、前記第１の外側仮締め底面穴に対応する第１の梁内底面穴、前記第１の外側底面穴及び前記第２の内側底面ネジ穴に対応する第１の梁外底面穴を有し、前記第２の梁の底面は、第１の内側仮締め底面穴に対応する第２の梁内底面穴、第１の内側底面ネジ穴及び第２の外側底面穴に対応する第２の梁外底面穴を有し、前記第１の梁の正面部と前記第２の梁の正面部との連結は、前記第１の外側仮締め正面穴、前記仮締め正面穴，前記第１の内側仮締め正面穴を介して第１のボルト、第１のナットで前記第２の梁の正面部の内側と外側に前記第１の内側正面プレート、前記第１の外側正面プレートを仮締めし、頭部と反対側の端部を外側に位置するように前記第１の内側正面ネジ穴に第２のボルトを螺合して立設させて仮止めし（この状態を「第１の正面状態」という）、この第１の正面状態にある前記第２の梁の正面部の端部と前記第１の梁の正面部の端部とを当接させると共に、前記第１の内側正面ネジ穴、前記第１の正面穴、前記第１の外側正面穴の各穴を一致させ、一致後、立設させた前記第２のボルトの頭部と反対側の端部をそれぞれ、外側に引き出して、第２のナットで連結するものであり、前記第１の梁の背面部と前記第２の梁の背面部との連結は、前記第１の外側仮締め背面穴、前記仮締め背面穴、前記第１の内側仮締め背面穴を介して第３のボルト、第３のナットで前記第２の梁の背面部の内側と外側に前記第１の内側背面プレート、前記第１の外側背面プレートを仮締めし、頭部と反対側の端部を外側に位置するように第１の内側背面ネジ穴に第４のボルトを、螺合して立設させて仮止めし（この状態を「第１の背面状態」という）、この第１の背面状態にある前記第２の梁の背面部の端部と前記第１の梁の背面部の端部とを当接させると共に、前記第１の内側背面ネジ穴、前記第１の背面穴、前記第１の外側背面穴の各穴を一致させ、一致後、立設させた第４のボルトの頭部と反対側の端部をそれぞれ、外側に引き出して、第４のナットで連結するものであり、前記第１の梁の底面部と前記第２の梁の底面部との連結は、前記第１の梁内底面穴、前記第１の外側仮締め底面穴を介して第８のボルト、第８のナットで前記第１の梁の底面部の外側に前記第１の外側底面プレートを仮締めし、（この状態を「第１の底面状態」という）、前記第１の内側仮締め底面穴、前記第２の梁内底面穴を介して第５のボルト、第５のナットで前記第２の梁の底面部の内側に前記第１の内側底面プレートを仮締めし、頭部と反対側の端部を外側に位置するように前記第１の内側底面ネジ穴及び前記第２の内側底面ネジ穴に、それぞれ第６、第７のボルトを螺合して立設させて仮止めし（この状態を「第２の底面状態」という）、この第２の底面状態にある前記第２の梁の底面部の端部と前記第１の底面状態にある前記第１の梁の底面部の端部とを当接させると共に、前記第１の内側底面ネジ穴、前記第２の梁外底面穴、前記第２の外側底面穴の各穴、前記第２の内側底面ネジ穴、前記第１の梁外底面穴、前記第１の外側底面穴の各穴を一致させ、一致後、立設させた前記第６、第７のボルトの頭部と反対側の端部をそれぞれ、外側に引き出して、第６、第７のナットでそれぞれ連結するものであり、前記第１の梁の上面部と前記第２の梁の上面部との当接部位を溶接により接合するものである。
【発明の効果】
【００１２】
請求項１記載の構造物の接合構造によれば、第１の梁の角度がＡ度（Ａ＜９０）である傾斜部と第２の梁の角度がＢ度（１８０度−Ａ度）である傾斜部とすると共に、第１の梁’の角度がＡ度（Ａ＜９０）である傾斜部と第２の梁の角度がＢ度（１８０度−Ａ度）である傾斜部とすることにより、上面を除く他の三面のそれぞれを内側と外側からプレートで挟み、この状態をボルト、ナットによって結合し、上面を溶接で接合することができるため、強度的に強く、しかも、四面を溶接した構造物の接合構造に比べ、溶接を少なくし、高所での作業性の改善を図ることができる。
【００１３】
また、請求項３記載の構造物の接合構造によれば、第１の梁の角度がＡ度（Ａ＜９０）である傾斜部と第２の梁の角度がＢ度（１８０度−Ａ度）である傾斜部とすることにより、上面を除く他の三面のそれぞれを内側と外側からプレートで挟み、この状態をボルト、ナットによって結合し、上面を溶接で接合することができるため、強度的に強く、しかも、四面を溶接した構造物の接合構造に比べ、溶接を少なくし、高所での作業性の改善を図ることができる。
【００１４】
また、請求項５又は６記載の梁の接合方法によれば、第１の梁の角度がＡ度（Ａ＜９０）である傾斜部と第２の梁の角度がＢ度（１８０度−Ａ度）である傾斜部とするにより、上面を除く他の三面のそれぞれを内側と外側から、第１の内側正面プレート、第１の外側正面プレート、第１の内側背面プレート、第１の外側背面プレート、第１の内側底面プレート、第１の外側底面プレートで挟み、この状態をボルト、ナットによるボルト結合、上面を溶接で接合することができるため、強度的に強く、しかも、四面を溶接した構造物の接合構造に比べ、溶接を少なくし、高所での作業性の改善を図ることができる。
【図面の簡単な説明】
【００１５】
【図１】図１は、本発明の一実施例の構造物の接合構造の概略的正面図である。
【図２】図２は、図１の構造物の接合構造の第２の梁を接続する前の状態の概略的正面図である。
【図３】図３は、図２を概略的に示す概略的斜視図である。
【図４】図４は、図３の第１の梁と第２の梁との関係を概略的に示す概略的斜視図である。
【図５】図５は、図３の第２の梁と第１’の梁との関係を概略的に示す概略的斜視図である。
【図６】図６は、図１の一部を拡大して示す概略的一部拡大正面図である。
【図７】図７は、図６の概略的断面図である。
【図８】図８は、図６の８−８線による概略的断面図である。
【図９】図９は、梁の内部に立設して使用されるボルトの概略的斜視図である。
【図１０】図１０は、図６の接続前の状態を示す概略的正面図である。
【図１１】図１１は、図１０の第１の梁の底面部、第２の梁の底面部のそれぞれに設けた穴の位置関係を説明するための概略的説明図である。
【図１２】図１２は、図１０の１２−１２線による概略的断面図である。
【図１３】図１３は、図１０の１３−１３線による概略的断面図である。
【図１４】図１４は、図１２の第１の梁の正面部、第２の梁の正面部、第１の外側正面プレート、第１の内側正面プレートのそれぞれに設けた穴の位置関係を説明するための概略的説明図である。
【図１５】図１５は、図１２の第１の梁の背面部、第２の梁の背面部、第１の外側背面プレート、第１の内側背面プレートのそれぞれに設けた穴の位置関係を説明するための概略的説明図である。
【図１６】図１６は、図６の第１の梁の底面部と第２の梁の底面部との連結状態を示す概略的正断面図である。
【図１７】図１７は、図６の第１の梁と第２の梁との連結状態を示す概略的平断面図である。
【図１８】図１８は、図１の一部を拡大して示す概略的一部拡大正面図である。
【図１９】図１９は、図１８の概略的断面図である。
【図２０】図２０は、図１８の２０−２０線による概略的断面図である。
【図２１】図２１は、図１８の接続前の状態を示す概略的正面図である。
【図２２】図２２は、図２１の２２−２２線による概略的断面図である。
【図２３】図２３は、図２１の２３−２３線による概略的断面図である。
【図２４】図２４は、図１８の第１の梁の底面部と第２の梁の底面部との連結状態を示す概略的正断面図である。
【図２５】図２５は、図１８の第１の梁と第２の梁との連結状態を示す概略的平断面図である。
【図２６】図２６は、図２５の第１’の梁の正面部、第２の梁の正面部、第１’の外側正面プレート、第１’の内側正面プレートのそれぞれに設けた穴の位置関係を説明するための概略的説明図である。
【図２７】図２７は、図２５の第１’の梁の背面部、第２の梁の背面部、第１’の外側背面プレート、第１’の内側背面プレートのそれぞれに設けた穴の位置関係を説明するための概略的説明図である。
【図２８】図２８は、図２１の第１’の梁の底面部、第２の梁の底面部のそれぞれに設けた穴の位置関係を説明するための概略的説明図である。
【図２９】図２９は、図１と異なる他の実施例の構造物の接合構造を分解して示す概略的分解斜視図である。
【図３０】図３０は、図２９の一部を示す概略的正面図である。
【図３１】図３１は、図２９の第１の梁と第２の梁との連結状態を示す概略的平断面図である。
【図３２】図３２は、図３１の第１の梁の正面部、第２の梁の正面部、第１の外側正面プレート、第１の内側正面プレートのそれぞれに設けた穴の位置関係を説明するための概略的説明図である。
【図３３】図３３は、図３１の第１の梁の背面部、第２の梁の背面部、第１の外側背面プレート、第１の内側背面プレートのそれぞれに設けた穴の位置関係を説明するための概略的説明図である。
【図３４】図３４は、図２９の一部を示す概略的正面図である。
【図３５】図３５は、図３４の第１’の梁と第２の梁との連結状態を示す概略的平断面図である。
【図３６】図３６は、図３５の第１’の梁の正面部、第２の梁の正面部、第１’の外側正面プレート、第１’の内側正面プレートのそれぞれに設けた穴の位置関係を説明するための概略的説明図である。
【図３７】図３７は、図３５の第１’の梁の背面部、第２の梁の背面部、第１’の外側背面プレート、第１’の内側背面プレートのそれぞれに設けた穴の位置関係を説明するための概略的説明図である。
【発明を実施するための形態】
【００１６】
本発明の一実施例の図１乃至図２８記載の構造物の接合構造及び梁の接合方法を図面を参照して説明する。
図１に示すＣは構造物の接合構造で、構造物の接合構造Ｃは、第１の柱１と第１’の柱２の間に断面が四角形の角筒の梁３を接続したものである。
梁３は、第１の柱１から第１’の柱２に向かって、第１の梁３１、第２の梁３２、第１’の梁３３を有している。
第１の柱１と第１の梁３１、第１’の柱２と第１’の梁３３は、それぞれ、例えば、高所ではなく、予め、地上において、例えば、溶接により接続されている。
【００１７】
第１の梁３１は、図２に示すように、正面視、下底が上底より長い略台形形状であり、第１の梁３１の第１の柱１の側の傾斜部と下底とのなす角度は９０度、第１の梁３１の第１’の柱２の側の傾斜部と下底とのなす角度はＡ度（Ａ＜９０）となっている。
即ち、第１の梁３１は、図３及び図４に示すように、正面視、第１の梁３１の正面部３１Ａ、第１の梁３１の上面部３１Ｂ、第１の梁３１の背面部３１Ｃ、第１の梁３１の底面部３１Ｄからなり、第１の梁３１の第１の柱１と反対側の端面は、平面視、第１’の柱２に向かって、第１の梁３１の底面部３１Ｄが第１の梁３１の上面部３１Ｂより突出し、第１の梁３１の正面部３１Ａと第１の梁３１の背面部３１Ｃは、第１’の柱２に向かう水平方向に下がるように同じ角度Ａで傾斜した第１の傾斜面Ｘを形成している。
なお、上述した角度Ａ度は、９０°より小さく、実用的には、約４５°〜約６０°である。
【００１８】
また、第２の梁３２は、図２、図３、図４及び図５に示すように、正面視、上底が下底より長い略台形形状であり、第２の梁３２の第１の柱１の側の傾斜部Ｙと下底とのなす角度はＢ度（１８０度−Ａ度）、第２の梁３２の第１’の柱２の側の傾斜部Ｙ’と下底とのなす角度はＢ度（１８０度−Ａ度）となっている。
即ち、第２の梁３２は、正面視、第２の正面部３２Ａ、第２の上面部３２Ｂ、第２の背面部３２Ｃ、第２の底面部３２Ｄからなり、第２の梁３２の第１の柱１に向かう端面は、平面視、第１の柱１に向かって、第２の梁３２の上面部３２Ｂが第２の梁３２の底面部３２Ｄより突出し、第１の柱１の側の第２の梁３２の正面部３２Ａと第２の梁３２の背面部３２Ｃは、第１の柱１に向かう水平方向に上がるように同じ角度Ｂ（１８０度−Ａ度）で傾斜した第２の傾斜面Ｙを形成し、また、第２の梁３２の第１’の柱２に向かう端面は、平面視、第１’の柱２に向かって、第２の梁３２の上面部３２Ｂが第２の梁３２の底面部３２Ｄがより突出し、第１’の柱２の側の第２の梁３２の正面部３２Ａと第２の梁３２の背面部３２Ｃは、第１’の柱２に向かう水平方向に上がるように同じ角度Ｂで傾斜した第２’の傾斜面Ｙ’を形成している。
【００１９】
また、第１’の梁３３は、正面視、下底が上底より長い略台形形状であり、第１’の梁３３の第１’の柱２の側の傾斜部と下底とのなす角度は９０度、第１’の梁３３の第１の柱１の側の傾斜部Ｘ’と下底とのなす角度はＡ度となっている。
即ち、第１’の梁３３は、正面視、第１’の梁３３の正面部３３Ａ、第１’の梁３３の上面部３３Ｂ、第１’の梁３３の背面部３３Ｃ、第１’の梁３３の底面部３３Ｄからなり、第１’の梁３３の第１’の柱２と反対側の端面は、平面視、第１の柱１に向かって、第１’の梁３３の底面部３３Ｄが第１’の梁３３の上面部３３Ｂより突出し、第１’の梁３３の正面部３３Ａと第１’の梁３３の背面部３３Ｃは、第１の柱１に向かう水平方向に下がるように同じ角度Ａで傾斜した第１’の傾斜面Ｘ’を形成している。
【００２０】
また、図４、図１０及び図１６に示すように、第１の梁３１の正面部３１Ａの第２の梁３２に向かう端面Ｘ１と第２の梁３２の正面部３２の第１の柱１に向かう端面Ｙ１を、第１の梁３１の上面部３１Ｂの第２の梁３２に向かう端面Ｘ２と第２の梁３２の上面部３２Ｂの第１の柱１に向かう端面Ｙ２を、第１の梁３１の背面部３１Ｃの第２の梁３２に向かう端面Ｘ３と第２の梁３２の背面部３２Ｃの第１の柱１に向かう端面Ｙ３を、第１の梁３１の底面部３１Ｄの第２の梁３２に向かう端面Ｘ４と第２の梁３２の底面部３２Ｄの第１の柱１に向かう端面Ｙ４を、それぞれ当接している。
また、図５、図１８及び図２１に示すように、第１’の梁３３の正面部３３Ａの第２の梁３２に向かう端面Ｘ１’と第２の梁３２の正面部３２Ａの第１’の柱２に向かう端面Ｙ１’を、第１’の梁３３の上面部３３Ｂの第２の梁３２に向かう端面Ｘ２’と第２の梁３２の上面部３２Ｂの第１’の柱２に向かう端面Ｙ２’を、第１’の梁３３の背面部３３Ｃの第２の梁３２に向かう端面Ｘ３’と第２の梁３２の背面部３２Ｃの第１’の柱２に向かう端面Ｙ３’を、第１’の梁３３の底面部３３Ｄの第２の梁３２に向かう端面Ｘ４’と第２の梁３２の底面部３２Ｄの第１’の柱２に向かう端面Ｙ４’をそれぞれ当接ている。
【００２１】
そして、第１の梁３１と第２の梁３２とは、上面を除く他の三面のそれぞれは詳細を後述するが、内側と外側からプレート（Ｐ１〜Ｐ６）で挟んでボルト（Ｂ１〜Ｂ８）、ナット（Ｎ１〜Ｎ８）による接合により締結され、上面は第１の梁３１の上面部位３１Ｂと第２の梁３２の上面部位３２Ｂとの当接部位を溶接で接合され、また、第１’の梁３３と第２の梁３２とは、上面を除く他の三面のそれぞれは詳細を後述するが、内側と外側からプレート（Ｐ１’〜Ｐ６’）、ナット（Ｎ１’〜Ｎ８’）による接合により締結され、上面は第１’の梁３３の上面部位３３Ｂと第２の梁３２の上面部位３２Ｂとの当接部位を溶接で接合されている。
即ち、第１の梁３１の正面部３１Ａと第２の梁３２の正面部３２Ａとは、梁３（３１、３２）の内部に位置し、第１の梁３１の正面部３１Ａと第２の梁３２の正面部３２Ａとに亘るように形成された第１の内側正面プレートＰ１と、梁３（３１、３２）の外部に位置し、第１の梁３１の正面部３１Ａと第２の梁３２の正面部３２Ａとに亘るように形成された第１の外側正面プレートＰ２とをサンドイッチ状に挟んでボルト（Ｂ１〜Ｂ２）、ナット（Ｎ１〜Ｎ２）による接合により締結されている。
また、第１の梁３１の背面部３１Ｃと第２の梁３２の背面部３２Ｃとは、梁３（３１、３２）の内部に位置し、第１の梁３１の背面部３１Ｃと第２の梁３２の背面部３２Ｃとに亘るように形成された第１の内側背面プレートＰ３と、梁３（３１、３２）の外部に位置し、第１の梁３１の背面部３１Ｃと第２の梁３２の背面部３２Ｃとに亘るように形成された第１の外側背面プレートＰ４とをサンドイッチ状に挟んでボルト（Ｂ３〜Ｂ４）、ナット（Ｎ３〜Ｎ４）による接合により締結されている。
また、第１の梁３１の底面部３１Ｄと第２の梁３２の底面部３２Ｄとは、梁３（３１、３２）の内部に位置し、第１の梁３１の底面部３１Ｄと第２の梁３２の底面部３２Ｄとに亘るように形成された第１の内側底面プレートＰ５と、梁３（３１、３２）の外部に位置し、第１の梁３１の底面部３１Ｄと第２の梁３２の底面部３２Ｄとに亘るように形成された第１の外側底面プレートＰ６とをサンドイッチ状に挟んでボルト（Ｂ５〜Ｂ８）、ナット（Ｎ５〜Ｎ８）による接合により締結されている。
なお、第１の上面部３１Ｂと第２の上面部３２Ｂとの当接部（Ｘ２、Ｙ２）は、溶接により接合されるようになっている。また、Ｐは、第１の上面部３１Ｂと第２の上面部３２Ｂとの接合部に跨るように内側に設けられたプレートである（図４、図１０及び図１４）。
【００２２】
また、第１’の梁３３の正面部３３Ａと第２の梁３２の正面部３２Ａとは、梁３（３２、３３）の内部に位置し、第１’の梁３３の正面部３３Ａと第２の梁３２の正面部３２Ａとに亘るように形成された第１’の内側正面プレートＰ１’と、梁３（３２、３３）の外部に位置し、第１’の梁３３の正面部３３Ａと第２の梁３２の正面部３２Ａとに亘るように形成された第１’の外側正面プレートＰ２’とをサンドイッチ状に挟んでボルト（Ｂ１’〜Ｂ２’）、ナット（Ｎ１’〜Ｎ２’）による接合により締結されている。
また、第１’の梁３３の背面部３３Ｃと第２の梁３２の背面部３２Ｃとは、梁３（３２、３３）の内部に位置し、第１’の梁３３の背面部３３Ｃと第２の梁３２の背面部３２Ｃとに亘るように形成された第１’の内側背面プレートＰ３’と、梁３（３２、３３）の外部に位置し、第１’の梁３３の背面部３３Ｃと第２の梁３２の背面部３２Ｃとに亘るように形成された第１’の外側背面プレートＰ４’とをサンドイッチ状に挟んでボルト（Ｂ３’〜Ｂ４’）、ナット（Ｎ３’〜Ｎ４’）による接合により締結されている。
また、第１’の梁３３の底面部３３Ｄと第２の梁３２の底面部３２Ｄとは、梁３（３２、３３）の内部に位置し、第１’の梁３３の底面部３３Ｄと第２の梁３２の底面部３２Ｄとに亘るように形成された第１’の内側底面プレートＰ５’と、梁３（３２、３３）の外部に位置し、第１’の梁３３の底面部３３Ｄと第２の梁３２の底面部３２Ｄとに亘るように形成された第１’の外側底面プレートＰ６’とをサンドイッチ状に挟んでボルト（Ｂ５’〜Ｂ８’）、ナット（Ｎ５’〜Ｎ８’）による接合により締結されている。
従って、上述した構造物の接合構造Ｃによれば、第１の梁３１の角度がＡ度（Ａ＜９０）である傾斜部Ｘと第２の梁３２の角度がＢ度（１８０度−Ａ度）である傾斜部Ｙとすると共に、第１の梁’３３の角度がＡ度（Ａ＜９０）である傾斜部Ｘ’と第２の梁３２の角度がＢ度（１８０度−Ａ度）である傾斜部Ｙ’とすることにより、上面を除く他の三面のそれぞれを内側と外側からプレート（Ｐ１〜Ｐ６）で挟み、この状態をボルト（Ｂ１〜Ｂ８）、ナット（Ｎ１〜Ｎ８）によって結合し、上面を溶接で接合することができるため、強度的に強く、しかも、四面を溶接した構造物の接合構造に比べ、溶接を少なくし、高所での作業性の改善を図ることができる。
【００２３】
次に、断面が四角形の角筒の第１の梁３１と断面が四角形の角筒の第２の梁３２を接続する梁３の接合方法について、図１〜図１７を参照して、以下、説明する。
第１の梁３１の第２の梁３２へ接続される部位は、正面視、第１の梁３１の底面部３１Ｄから上面部３１Ｂに向かって形成された角度Ａ度（Ａ＜９０）の第１の傾斜面Ｘであり、また、第２の梁３２の第１の梁３１へ接続される部位は、正面視、第２の梁３２の底面部３２Ｄから上面部３２Ｂに向かってＢ度（１８０度−Ａ度）の第２の傾斜面Ｙである。
第１の梁３１の正面部３１Ａと第２の梁３２の正面部３２Ａとの接続部位は、内側から第１の内側正面プレートＰ１、外側から第１の外側正面プレートＰ２で、第１の梁３１の背面部３１Ｃと第２の梁３２の背面部３２Ｃとの接続部位は、内側から第１の内側背面プレートＰ３、外側から第１の外側背面プレートＰ４で、第１の梁３１の底面部３１Ｄと第２の梁３２の底面部３２Ｄとの接続部位は、内側から第１の内側底面プレートＰ５、外側から第１の外側底面プレートＰ６で、それぞれ挟持されるようになっている。
【００２４】
第１の外側正面プレートＰ２は、図１４に示すように、第１の外側仮締め正面穴ａ、第１の外側正面穴ｂを有し、第１の外側正面穴ｂは、第１の外側仮締め正面穴ａより外方に位置している。また、第１の外側正面プレートＰ２に対向する第１の内側正面プレートＰ１は、第１の外側仮締め正面穴ａに対応する第１の内側仮締め正面穴ｃ、第１の外側正面穴ｂに対応し、雌ネジが切られた第１の内側正面ネジ穴ｄを有し、第１の内側正面ネジ穴ｄは、第１の内側仮締め正面穴ｃより外方に位置している。
また、第１の梁３１の正面部３１Ａは、第１の外側仮締め正面穴ａ及び第１の内側仮締め正面穴ｃに対応する仮締め正面穴ｏを有し、第２の梁３２の正面部３２Ａは、第１の内側正面ネジ穴ｄ及び第１の外側正面穴ｂに対応する第１の正面穴ｅを有している。
従って、第１の梁３１の正面部３１Ａと第２の梁３２の正面部３２Ａとの連結は、第１の外側仮締め正面穴ａ、仮締め正面穴ｏ、第１の内側仮締め正面穴ｃを介してボルトＢ（第１のボルトＢ１）とナットＮ（第１のナットＮ１）で第１の梁３１の正面部３１Ａの内側と外側に第１の内側正面プレートＰ１、第１の外側正面プレートＰ２を仮締めし(図３、図４及び図１０参照)、頭部と反対側の端部を外側に位置するように第１の内側正面ネジ穴ｄにボルトＢ（第２のボルトＢ２）を、螺合して立設させて仮止めし[この状態を「第１の正面状態」という。（図３、図４及び図１０参照）]、この第１の正面状態にある第１の梁３１の正面部３１Ａの端部と第２の梁３２の正面部３２Ａの端部とを当接させると共に、第１の内側正面ネジ穴ｄ、第１の正面穴ｅ、第１の外側正面穴ｂの各穴を一致させ、一致後、立設させたボルトＢ（第２のボルトＢ２）の頭部と反対側の端部をそれぞれ、ドライバー等を使用して左回転させて外側に引き出して（図１７参照）、ナットＮ（第２のナットＮ２）で連結することができる。
【００２５】
また、第１の外側背面プレートＰ４は、図１５に示すように、第１の外側仮締め背面穴ｆ、第１の外側背面穴ｇを有し、第１の外側背面穴ｇは、第１の外側仮締め背面穴ｆより外方に位置している。また、第１の外側背面プレートＰ４に対向する第１の内側背面プレートＰ３は、第１の外側仮締め背面穴ｆに対応する第１の内側仮締め背面穴ｈ、第１の外側背面穴ｇに対応し、雌ネジが切られた第１の内側背面ネジ穴ｉを有し、第１の内側背面ネジ穴ｉは、第１の内側仮締め背面穴ｈより外方に位置している。また、第１の梁３１の背面部３１Ｃは、第１の外側仮締め背面穴ｆ及び第１の内側仮締め背面穴ｈに対応する仮締め背面穴ｚを有している。
また、第２の梁３２の背面部３２Ｃは、第１の外側背面穴ｇ及び第１の内側背面ネジ穴ｉに対応する第１の背面穴ｊを有している。
従って、第１の梁３１の背面部３１Ｃと第２の梁３２の背面部３２Ｃとの連結は、第１の外側仮締め背面穴ｆ、仮締め背面穴ｚ、第１の内側仮締め背面穴ｈを介してボルトＢ（第３のボルトＢ３）とナットＮ（第３のナットＮ３）で第１の梁３１の背面部３１Ｃの内側と外側に第１の内側背面プレートＰ３、第１の外側背面プレートＰ４を仮締めし、頭部と反対側の端部を外側に位置するように第１の内側背面ネジ穴ｉにボルトＢ（第４のボルトＢ４）を、螺合して立設させて仮止めし[この状態を「第１の背面状態」という。（図３、図４及び図１０参照）]、この第１の背面状態にある第１の梁３１の背面部３１Ｃの端部と第２の梁３２の背面部３２Ｃの端部とを当接させると共に、第１の内側背面ネジ穴ｉ、第１の背面穴ｊ、第１の外側背面穴ｇの各穴を一致させ、一致後、立設させたボルトＢ（第４のボルトＢ４）の頭部と反対側の端部をそれぞれ、ドライバー等を使用して左回転させて外側に引き出して（図１７参照）、ナットＮ（第４のナットＮ４）で連結することができる。
【００２６】
第１の外側底面プレートＰ６は、図１０及び図１１に示すように、外方に向かって、順次、第１の外側仮締め底面穴ｍ、第１の外側底面穴ｎ、第２の外側底面穴ｒを有している。
また、第１の内側底面プレートＰ５は、外方に向かって、順次、第１の内側仮締め底面穴ｓ、雌ネジが切られた第１の内側底面ネジ穴ｔ、雌ネジが切られた第２の内側底面ネジ穴ｕを有し、第１の内側底面ネジ穴ｔが第２の外側底面穴ｒに、第２の内側底面ネジ穴ｕが第１の外側底面穴ｎに、それぞれ対応するようになっている。
また、第１の梁３１の底面部３１Ｄは、外方に向かって、順次、第１の梁内底面穴ｖ、第１の梁外底面穴ｗを有し、第１の梁内底面穴ｖは第１の外側仮締め底面穴ｍに、第１の梁外底面穴ｗは第１の外側底面穴ｎ及び第２の内側底面ネジ穴ｕに、それぞれ対応するようになっている。
また、第２の梁３２の底面部３２Ｄは、外方に向かって、順次、第２の梁内底面穴ｘ、第２の梁外底面穴ｙを有し、第２の梁内底面穴ｘは第１の内側仮締め底面穴ｓに、第２の梁外底面穴ｙは第１の内側底面ネジ穴ｔ及び第２の外側底面穴ｒに、それぞれ対応するようになっている。
従って、第１の梁３１の底面部３１Ｄと第２の梁３２の底面部３２Ｄとの連結は、第１の梁内底面穴ｖ、第１の外側仮締め底面穴ｍを介してボルトＢ（第８のボルトＢ８）とナットＮ（第８のナットＮ８）で第１の梁３１の底面部３１Ｄの外側に第１の外側底面プレートＰ６を仮締めする［この状態を「第１の底面状態」という（図３、図４及び図１０参照）］。
また、第１の内側仮締め底面穴ｓ、第２の梁内底面穴ｘを介してボルトＢ（第５のボルトＢ５）とナットＮ（第５のナットＮ５）で第２の梁３２の底面部３２Ｄの内側に第１の内側底面プレートＰ５を仮締めし、頭部と反対側の端部を外側に位置するように第１の内側底面ネジ穴ｔ及び第２の内側底面ネジ穴ｕに、それぞれボルトＢ（第６のボルトＢ６、第７のボルトＢ７）を螺合して立設させて仮止めし［この状態を「第２の底面状態」という（図３、図４及び図１０参照）」、この第２の底面状態にある第２の梁３２の底面部３２Ｄの端部と前述した第１の底面状態にある第１の梁３１の底面部３１Ｄの端部とを当接させると共に、第１の内側底面ネジ穴ｔ、第２の梁外底面穴ｙ、第２の外側底面穴ｒの各穴、第２の内側底面ネジ穴ｕ、第１の梁外底面穴ｗ、第１の外側底面穴ｎの各穴を一致させ、一致後、立設させたボルトＢ（第６のボルトＢ６、第７のボルトＢ７）の頭部と反対側の端部をそれぞれ、ドライバー等を使用して左回転させて外側に引き出して(図１６参照)、ナットＮ（第６のナットＮ６、第７のナットＮ７）で連結することができる。
上述したボルトＢ（第１のボルトＢ１〜第８のボルトＢ８）にナットＮ（第１のナットＮ１〜第８のナットＮ８）で締め付け（本締め）後、第１の梁３１の上面部３１Ｂと第２の梁３２の上面部３２Ｂとの当接部位を溶接により接合して、第１の梁３１と第２の梁３２を接合することができる。
従って、上述した梁の接合方法によれば、第１の梁３１の角度がＡ度（Ａ＜９０）である傾斜部Ｘと第２の梁３２の角度がＢ度（１８０度−Ａ度）である傾斜部Ｙとすると共に、第１の梁’３１の角度がＡ度（Ａ＜９０）である傾斜部Ｘと第２の梁３２の角度がＢ度（１８０度−Ａ度）である傾斜部Ｙとを当接させ、上面を除く他の三面のそれぞれを内側と外側から、第１の内側正面プレートＰ１、第１の外側正面プレートＰ２、第１の内側背面プレートＰ３、第１の外側背面プレートＰ４、第１の内側底面プレートＰ５、第１の外側底面プレートＰ６で挟み、この状態を第１のボルトＢ１〜第８のボルトＢ８、第１のナットＮ１〜第８のナットＮ８によるボルト結合、上面を溶接で接合することができるため、強度的に強く、しかも、四面を溶接した構造物の接合構造に比べ、溶接を少なくし、高所での作業性の改善を図ることができる。
【００２７】
次に、断面が四角形の角筒の第２の梁３２と断面が四角形の角筒の第３の梁３３を接続する梁３の接合方法について、図５、図１８〜図２８を参照して、以下、説明する。
第２の梁３２の第３の梁３３へ接続される部位は、正面視、第２の梁３２の底面部３２Ｄから上面部３２Ｂに向かって形成された角度Ｂ度（１８０度−Ａ度）の第２の傾斜面Ｙ’であり、また、第３の梁３３の第２の梁３２へ接続される部位は、正面視、第３の梁３３の底面部３３Ｄから上面部３３Ｂに向かってＡ度（Ａ＜９０）の第１の傾斜面Ｘ’である。
第２の梁３２の正面部３２Ａと第３の梁３３の正面部３３Ａとの接続部位は、内側から第１’の内側正面プレートＰ１’、外側から第１’の外側正面プレートＰ２’で、第２の梁３２の背面部３２Ｃと第３の梁３３の背面部３３Ｃとの接続部位は、内側から第１’の内側背面プレートＰ３’、外側から第１’の外側背面プレートＰ４’で、第２の梁３２の底面部３２Ｄと第３の梁３３の底面部３３Ｄとの接続部位は、内側から第１’の内側底面プレートＰ５’、外側から第１’の外側底面プレートＰ６’で、それぞれ挟持されるようになっている。
【００２８】
第１’の外側正面プレートＰ２’は、図２６に示すように、第１’の外側仮締め正面穴ａ’、第１’の外側正面穴ｂ’を有し、第１’の外側正面穴ｂ’は第１’の外側仮締め正面穴ａ’より外方に位置している。また、第１’の外側正面プレートＰ２’に対向する第１’の内側正面プレートＰ１’は、第１’の内側仮締め正面穴ｃ’、雌ネジが切られた第１’の内側正面ネジ穴ｄ’を有し、第１’の内側正面ネジ穴ｄ’は第１’の内側仮締め正面穴ｃ’より外方に位置し、第１’の内側仮締め正面穴ｃ’は第１’の外側仮締め正面穴ａ’に、第１’の内側正面ネジ穴ｄ’は第１’の外側正面穴ｂ’に、それぞれ対応するように構成されている。
また、第２の梁３２の正面部３２Ａは、第１’の外側正面穴ｂ’及び第１’の内側正面ネジ穴ｄ’に対応する第１’の正面穴ｅ’を有し、第３の梁３３の正面部３３Ａは、仮締め正面穴ｏ’を有し、仮締め正面穴ｏ’は、第１’の内側仮締め正面穴ｃ’及び第１’の外側仮締め正面穴ａ’に対応する構成となっている。
従って、第２の梁３２の正面部３２Ａと第３の梁３３の正面部３３Ａとの連結は、第１’の外側仮締め正面穴ａ’、仮締め正面穴ｏ’、第１’の内側仮締め正面穴ｃ’を介してボルトＢ（第１’のボルトＢ１’）とナットＮ（第１’のナットＮ１’）で第３の梁３３の正面部３３Ａの内側と外側に第１’の内側正面プレートＰ１’、第１’の外側正面プレートＰ２’を仮締めし、頭部と反対側の端部を外側に位置するように第１’の内側正面ネジ穴ｄ’にボルトＢ（第２’のボルトＢ２’）を、螺合して立設させて仮止めし[この状態を「第１’の正面状態」という。（図５、図２１及び図２３参照）]、この第１’の正面状態にある第３の梁３３の正面部３３Ａの端部と第２の梁３２の正面部３２Ａの端部とを当接させると共に、第１’の内側正面ネジ穴ｄ’、第１’の正面穴ｅ’、第１’の外側正面穴ｂ’の各穴を一致させ、一致後、立設させたボルトＢ（第２’のボルトＢ２’）の頭部と反対側の端部をそれぞれ、ドライバー等を使用して左回転させて外側に引き出して（図２５参照）、ナットＮ（第２’のナットＮ２’）で連結することができる。
【００２９】
第１’の外側背面プレートＰ４’は、図２７に示すように、第１’の外側仮締め背面穴ｆ’、第１’の外側背面穴ｇ’を有し、第１’の外側背面穴ｇ’は第１’の外側仮締め背面穴ｆ’より外方に位置している。また、第１’の外側背面プレートＰ４’に対向する第１’の内側背面プレートＰ３’は、第１’の内側仮締め背面穴ｈ’、雌ネジが切られた第１’の内側背面ネジ穴ｉ’を有し、第１’の内側背面ネジ穴ｉ’は第１’の内側仮締め背面穴ｈ’より外方に位置し、第１’の内側仮締め背面穴ｈ’は第１’の外側仮締め背面穴ｆ’に、第１’の内側背面ネジ穴ｉ’は第１’の外側背面穴ｇ’に、それぞれ対応する構成となっている。
また、第３の梁３３の背面部３３Ｃは仮締め背面穴ｚ’を有し、仮締め背面穴ｚ’は第１’の外側仮締め背面穴ｆ’及び第１’の内側仮締め背面穴ｈ’に対応する構成となっている。
また、第２の梁３２の背面部３２Ｃは第１’の背面穴ｊ’を有し、第１’の背面穴ｊ’は第１’の内側背面ネジ穴ｉ’及び第１’の外側背面穴ｇ’に対応する構成となっている。
従って、第２の梁３２の背面部３２Ｃと第３の梁３３の背面部３３Ｃとの連結は、第１’の外側仮締め背面穴ｆ’、仮締め背面穴ｚ’、第１’の内側仮締め背面穴ｈ’を介してボルトＢ（第３’のボルトＢ３’）とナットＮ（第３’のナットＮ３’）で第３の梁３３の背面部３３Ｃの内側と外側に第１’の内側背面プレートＰ３’、第１’の外側背面プレートＰ４’を仮締めし、頭部と反対側の端部を外側に位置するように第１’の内側背面ネジ穴ｉ’にボルトＢ（第４’のボルトＢ４’）を、螺合して立設させて仮止めし[この状態を「第１’の背面状態」という。（図５、図２１及び図２３参照）]、 この第１’の背面状態にある第３の梁３３の背面部３３Ｃの端部と第２の梁３２の背面部３２Ｃの端部とを当接させると共に、第１’の内側背面ネジ穴ｉ’、第１’の背面穴ｊ’、第１’の外側背面穴ｇ’の各穴を一致させ、一致後、立設させたボルトＢ（第４’のボルトＢ４’）の頭部と反対側の端部をそれぞれ、ドライバー等を使用して左回転させて外側に引き出して（図２５参照）、ナットＮ（第４’のナットＮ４’）で連結することができる。
【００３０】
第１’の外側底面プレートＰ６’は、図５、図２１及び図２８に示すように、外方に向かって、順次、第１’の外側仮締め底面穴ｍ’、第１’の外側底面穴ｎ’、第２’の外側底面穴ｒ’を有している。  
また、第１’の内側底面プレートＰ５’は、外方に向かって、順次、第１’の内側仮締め底面穴ｓ’、雌ネジが切られた第１’の内側底面ネジ穴ｔ’、雌ネジが切られた第２’の内側底面ネジ穴ｕ’を有し、第１’の内側底面ネジ穴ｔ’は第２’の外側底面穴ｒ’に、第２’の内側底面ネジ穴ｕ’は第１’の外側底面穴ｎ’に、それぞれ対応する構成となっている。
また、第３の梁３３の底面部３３Ｄは、外方に向かって、順次、第１’の梁内底面穴ｖ’、第１’の梁外底面穴ｗ’を有し、第１’の梁内底面穴ｖ’は第１’の外側仮締め底面穴ｍ’に、第１’の梁外底面穴ｗ’は第１’の外側底面穴ｎ’に、それぞれ対応する構成となっている。
また、第２の梁３２の底面部３２Ｄは、外方に向かって、順次、第２’の梁内底面穴ｘ’、第２’の梁外底面穴ｙ’を有し、第２’の梁内底面穴ｘ’は第１’の内側仮締め底面穴ｓ’に、第２’の梁外底面穴ｙ’は第１’の内側底面ネジ穴ｔ’に、それぞれ対応する構成となっている。
従って、第２の梁３２の底面部３２Ｄと第３の梁３３の底面部３３Ｄとの連結は、第１’の梁内底面穴ｖ’、第１’の外側仮止め底面穴ｍ’を介してボルトＢ（第８’のボルトＢ８’）とナットＮ（第８’のナットＮ８’）で第１’の梁３３の底面部３３Ｄの外側に第１’の外側底面プレートＰ６’を仮締めする［この状態を「第１’の底面状態」という（図５、図２１及び図２３参照）］。
また、第１’の内側仮締め底面穴ｓ’、第２’の梁内底面穴ｘ’を介してボルトＢ（第５’のボルトＢ５’）とナットＮ（第５’のナットＮ５’）で第２の梁３２の底面部３２Ｄの内側に第１’の内側底面プレートＰ５’を仮締めし、頭部と反対側の端部を外側に位置するように第１’の内側底面ネジ穴ｔ’及び第２’の内側底面ネジ穴ｕ’に、それぞれボルトＢ（第６’のボルトＢ６’、第７’のボルトＢ７’）を螺合して立設させて仮止めし［この状態を「第２’の底面状態」という（図５、図２１及び図２３参照）」、この第２’の底面状態にある第２の梁３２の底面部３２Ｄの端部と前述した第１’の底面状態にある第１’の梁３３の底面部３３Ｄの端部とを当接させると共に、第１’の内側底面ネジ穴ｔ’、第２’の梁外底面穴ｙ’、第２’の外側底面穴ｒ’の各穴、第２’の内側底面ネジ穴ｕ’、第１’の梁外底面穴ｗ’、第１’の外側底面穴ｎ’の各穴を一致させ、一致後、立設させたボルトＢ（第６’のボルトＢ６’、第７’のボルトＢ７’）の頭部と反対側の端部をそれぞれ、ドライバー等を使用して左回転させて外側に引き出して（図２４参照）、ナットＮ（第６’のナットＮ６’、第７’のナットＮ７’）で連結することができる。
上述したボルトＢ（第１’のボルトＢ１’〜第８’のボルトＢ８’）にナットＮ（第１’のナットＮ１’〜第８’のナットＮ８’）で締め付け（本締め）後、第２の梁３２の上面部３２Ｂと第３の梁３３の上面部３３Ｂとの当接部位を溶接により接合して、第２の梁３２と第３の梁３３を接合することができる。なお、Ｐ’は、第２の梁３２の上面部３２Ｂと第３の梁３３の上面部３３Ｂとの接合部に跨るように内側に設けられたプレートである（図５、図２０及び図２１）。
【００３１】
なお、上述した実施例においては、第１の内側正面プレートＰ１、第１の外側正面プレートＰ２を第１の梁３１の正面部３１Ａに、第１の内側背面プレートＰ３、第１の外側背面プレートＰ４を第１の梁３１の背面部３１Ｃに、それぞれ取り付けるようにして、第１の梁３１と第２の梁３２を接合したが、本願発明にあっては、これに限らず、第１の内側正面プレートＰ１、第１の外側正面プレートＰ２を第２の梁３２の正面部３２Ａに、第１の内側背面プレートＰ３、第１の外側背面プレートＰ４を第２の梁３２の背面部３２Ｃに、それぞれ取り付けるようにしても良い（図２９〜図３７参照）。
第１の内側正面プレートＰ１、第１の外側正面プレートＰ２の取付が第１の梁３１から第２の梁３２に変わるため、上述の第２の梁３２の正面部３２Ａに設けた第１の正面穴ｅは、本実施例では仮締め正面穴ｏとなり、また、上述の第１の梁３１の正面部３１Ａに設けた仮締め正面穴ｏは、本実施例では第１の正面穴ｅと入れ替わることとなる。
第１の内側背面プレートＰ３、第１の外側背面プレートＰ３の取付が第１の梁３１から第２の梁３２に変わるため、上述の第２の梁３２の背面部３２Ｃに設けた第１の背面穴ｊは、本実施例では仮締め背面穴ｚとなり、また、上述の第１の梁３１の背面部３１Ｃに設けた仮締め背面穴ｚは、本実施例では第１の背面穴ｊと入れ替わることとなる。
即ち、第１の梁３１の正面部３１Ａは、図３１及び図３２に示すように、第１の正面穴ｅを有し、この第１の正面穴ｅは、第１の内側正面プレートＰ１に設けた第１の内側正面ネジ穴ｄ及び第１の外側正面プレートＰ２に設けた第１の外側正面穴ｂに対応する構成となっており、また、第２の梁３２の正面部３２Ａに設けた仮締め正面穴ｏは、第１の内側正面プレートＰ１に設けた第１の内側仮締め正面穴ｃ及び第１の外側正面プレートＰ２に設けた第１の外側仮締め正面穴ａに対応する構成となっている。第１の内側正面プレートＰ１において、第１の内側正面ネジ穴ｄは、第１の内側仮締め正面穴ｃより外方に位置し、また、第１の外側正面プレートＰ２において、第１の外側正面穴ｂは、第１の外側締仮め正面穴ａより外方に位置している。
また、第１の梁３１の背面部３１Ｃは、図３１及び図３３に示すように、第１の背面穴ｊを有し、この第１の背面穴ｊは、第１の内側背面プレートＰ３に設けた第１の内側背面ネジ穴ｉ及び第１の外側背面プレートＰ４に設けた第１の外側背面穴ｇに対応する構成となっており、また、第２の梁３２の背面部３２Ｃに設けた仮締め背面穴ｚは、第１の内側背面プレートＰ３に設けた第１の内側仮締め背面穴ｈ及び第１の外側背面プレートＰ４に設けた第１の外側仮締め背面穴ｆに対応する構成となっている。第１の内側背面プレートＰ３において、第１の内側背面ネジ穴ｉは、第１の内側仮締め背面穴ｈより外方に位置し、また、第１の外側背面プレートＰ４において、第１の外側背面穴ｇは、第１の外側仮締め背面穴ｆより外方に位置している。
そして、第１の梁３１の正面部３１Ａと第２の梁３２の正面部３２Ａとの連結は、図２９〜図３３に示すように、第１の外側仮締め正面穴ａ、仮締め正面穴ｏ、第１の内側仮止め正面穴ｃを介してボルトＢ（第１のボルトＢ１）とナットＮ（第１のナットＮ１）で第１の梁３１の正面部３１Ａの内側と外側に第１の内側正面プレートＰ１、第１の外側正面プレートＰ２を仮締めし、頭部と反対側の端部を外側に位置するように第１の内側正面ネジ穴ｄにボルトＢ（第２のボルトＢ２）を、螺合して立設させて仮止めし[この状態を「第１’の正面状態」という。（図２９参照）]、この第１’の正面状態にある第１の梁３１の正面部３１Ａの端部と第２の梁３２の正面部３２Ａの端部とを当接させると共に、第１の内側正面ネジ穴ｄ、第１の正面穴ｅ、第１の外側正面穴ｂの各穴を一致させ、一致後、立設させたボルトＢ（第２のボルトＢ２）の頭部と反対側の端部をそれぞれ、ドライバー等を使用して左回転させて外側に引き出して（図３１参照）、ナットＮ（第２のナットＮ２）で連結することができる。
また、第１の梁３１の背面部３１Ｃと第２の梁３２の背面部３２Ｃとの連結は、第１の外側仮締め背面穴ｆ、仮締め背面穴ｚ、第１の内側仮締め背面穴ｈを介してボルトＢ（第３のボルトＢ３）とナットＮ（第３のナットＮ３）で第２の梁３２の背面部３２Ｃの内側と外側に第１の内側背面プレートＰ３、第１の外側背面プレートＰ４を仮締めし、頭部と反対側の端部を外側に位置するように第１の内側背面ネジ穴ｉにボルトＢ（第４のボルトＢ４）を、螺合して立設させて仮止めし[この状態を「第１’の背面状態」という。（図２９及び図３１参照）]、この第１’の背面状態にある第１の梁３１の背面部３１Ｃの端部と第２の梁３２の背面部３２Ｃの端部とを当接させると共に、第１の内側背面ネジ穴ｉ、第１の背面穴ｊ、第１の外側背面穴ｇの各穴を一致させ、一致後、立設させたボルトＢ（第４のボルトＢ４）の頭部と反対側の端部をそれぞれ、ドライバー等を使用して左回転させて外側に引き出して（図３１参照）、ナットＮ（第４のナットＮ４）で連結することができる。
なお、本実施例（図２９〜図３３）においては、第１の梁３１の底面部３１Ｄと第２の梁３２の底面部３２Ｄとの連結は、上述した実施例（図１〜図２８）と同様なので、本実施例（図２９〜図３３中、特に、図３４）に、上述した実施例（図１〜図２８中、特に、図１０、図１１）と同一部分に同一符号を付して、その説明を省略している。
【００３２】
また、上述した実施例においては、第１’の内側正面プレートＰ１’、第１’の外側正面プレートＰ２’を第１’の梁３３の正面部３３Ａに、第１’の内側背面プレートＰ３’、第１’の外側背面プレートＰ４’を第１’の梁３３の背面部３３Ｃに、それぞれ取り付けるようにして、第１’の梁３３と第２の梁３２を接合したが、本願発明にあっては、これに限らず、第１’の内側正面プレートＰ１’、第１’の外側正面プレートＰ２’を第２の梁３２の正面部３２Ａに、第１’の内側背面プレートＰ３’、第１’の外側背面プレートＰ４’を第２の梁３２の背面部３２Ｃに、それぞれ取り付けるようにしても良い（図２９、図３４〜図３７参照）。
第１’の内側正面プレートＰ１’、第１’の外側正面プレートＰ２’の取付が第１’の梁３３から第２の梁３２に変わるため、上述の第２の梁３２の正面部３２Ａに設けた第１’の正面穴ｅ’は、本実施例では仮締め正面穴ｏ’となり、また、上述の第１’の梁３３の正面部３３Ａに設けた仮締め正面穴ｏ’は、本実施例では第１’の正面穴ｅ’と入れ替わることとなる。
また、第１’の内側背面プレートＰ３’、第１’の外側背面プレートＰ４’の取付が第１’の梁３３から第２の梁３２に変わるため、上述の第２の梁３２の背面部３２Ｃに設けた第１’の背面穴ｊ’は、本実施例では仮締め背面穴ｚ’となり、また、上述の第１’の梁３３の背面部３３Ｃに設けた仮締め背面穴ｚ’は、本実施例では第１’の背面穴ｊ’と入れ替わることとなる。
即ち、第１’の梁３３の正面部３３Ａは、図３５及び図３６に示すように、第１’の正面穴ｅ’を有し、この第１’の正面穴ｅ’は、第１’の内側正面プレートＰ１’に設けた第１’の内側正面ネジ穴ｄ’及び第１’の外側正面プレートＰ２’に設けた第１’の外側正面穴ｂ’に対応するように構成され、また、第２の梁３２の正面部３２Ａに設けた仮締め正面穴ｏ’は、第１’の内側正面プレートＰ１’に設けた第１’の内側仮締め正面穴ｃ’及び第１’の外側正面プレートＰ２’に設けた第１’の外側仮締め正面穴ａ’に対応するように構成されている。第１’の内側正面プレートＰ１’において、第１’の内側正面ネジ穴ｄ’は、第１’の内側仮締め正面穴ｃ’より外方に位置し、第１’の外側正面プレートＰ２’において、第１’の外側正面穴ｂ’は、第１’の外側締め正面穴ａ’より外方に位置している。
また、第１’の梁３３の背面部３３Ｃは、図３５及び図３７に示すように、第１’の背面穴ｊ’を有し、この第１’の背面穴ｊ’は、第１’の内側背面プレートＰ３’に設けた第１’の内側背面ネジ穴ｉ’及び第１’の外側背面プレートＰ４’に設けた第１’の外側背面穴ｇ’に対応する構成となっており、また、第２’の梁３２の背面部３２Ｃに設けた仮締め背面穴ｚ’は、第１’の内側背面プレートＰ３’に設けた第１’の内側仮締め背面穴ｈ’及び第１’の外側背面プレートＰ４’に設けた第１’の外側仮締め背面穴ｆ’に対応する構成となっている。第１’の内側背面プレートＰ３’において、第１’の内側背面ネジ穴ｉ’は、第１’の内側仮締め背面穴ｈ’より外方に位置し、また、第１’の外側背面プレートＰ４’において、第１’の外側背面穴ｇ’は、第１’の外側仮締め背面穴ｆ’より外方に位置している。
そして、第１’の梁３３の正面部３３Ａと第２の梁３２の正面部３２Ａとの連結は、図２９、図３４〜図３７に示すように、第１’の外側仮締め正面穴ａ’、仮締め正面穴ｏ’、第１’の内側仮締め正面穴ｃ’を介してボルトＢ（第１’のボルトＢ１’）とナットＮ（第１’のナットＮ１’）で第１’の梁３３の正面部３３Ａの内側と外側に第１’の内側正面プレートＰ１’、第１’の外側正面プレートＰ２’を仮締めし、頭部と反対側の端部を外側に位置するように第１’の内側正面ネジ穴ｄ’にボルトＢ（第２のボルトＢ２’）を、螺合して立設させて仮止めし[この状態を「第１’の正面状態」という。（図２９参照）]、この第１’の正面状態にある第１’の梁３３の正面部３３Ａの端部と第２の梁３２の正面部３２Ａの端部とを当接させると共に、第１’の内側正面ネジ穴ｄ’、第１’の正面穴ｅ’、第１’の外側正面穴ｂ’の各穴を一致させ、一致後、立設させたボルトＢ（第２のボルトＢ２’）の頭部と反対側の端部をそれぞれ、ドライバー等を使用して左回転させて外側に引き出して（図３５参照）、ナットＮ（第２のナットＮ２’）で連結することができる。
また、第１’の梁３３の背面部３３Ｃと第２の梁３２の背面部３２Ｃとの連結は、第１’の外側仮締め背面穴ｆ’、仮締め背面穴ｚ’、第１’の内側仮締め背面穴ｈ’を介してボルトＢ（第３のボルトＢ３’）とナットＮ（第３のナットＮ３’）で第２の梁３２の背面部３２Ｃの内側と外側に第１’の内側背面プレートＰ３’、第１’の外側背面プレートＰ４’を仮締めし、頭部と反対側の端部を外側に位置するように第１’の内側背面ネジ穴ｉ’にボルトＢ（第４のボルトＢ４’）を、螺合して立設させて仮止めし[この状態を「第１’の背面状態」という。（図２９及び図３４参照）]、この第１’の背面状態にある第１’の梁３３の背面部３３Ｃの端部と第２の梁３２の背面部３２Ｃの端部とを当接させると共に、第１’の内側背面ネジ穴ｉ’、第１’の背面穴ｊ’、第１’の外側背面穴ｇ’の各穴を一致させ、一致後、立設させたボルトＢ（第４のボルトＢ４’）の頭部と反対側の端部をそれぞれ、ドライバー等を使用して左回転させて外側に引き出して（図３５参照）、ナットＮ（第４のナットＮ４’）で連結することができる。
なお、本実施例（図２９、図３４〜図３７）においては、第１’の梁３３の底面部３３Ｄと第２の梁３２の底面部３２Ｄとの連結は、上述した実施例（図１〜図２８）と同様なので、本実施例（図２９、図３４〜図３７中、特に、３４）に、上述した実施例（図１〜図２８中、特に、図２１、図２８）と同一部分に同一符号を付して、その説明を省略している。
【符号の説明】
【００３３】
Ｃ            構造物の接合構造
１            第１の柱
２            第１’の柱
３            梁
３１          第１の梁
３２          第２の梁
３３          第１’の梁
３１Ｂ        上面部
３２Ｂ        上面部
Ｂ１〜Ｂ８    ボルト
Ｂ１’〜Ｂ８’ボルト
Ｐ１〜Ｐ６    プレート
Ｐ１’〜Ｐ６’プレート
【図１】
0005202608.tif 000002
【図２】
0005202608.tif 000003
【図３】
0005202608.tif 000004
【図４】
0005202608.tif 000005
【図５】
0005202608.tif 000006
【図６】
0005202608.tif 000007
【図７】
0005202608.tif 000008
【図８】
0005202608.tif 000009
【図９】
0005202608.tif 000010
【図１０】
0005202608.tif 000011
【図１１】
0005202608.tif 000012
【図１２】
0005202608.tif 000013
【図１３】
0005202608.tif 000014
【図１４】
0005202608.tif 000015
【図１５】
0005202608.tif 000016
【図１６】
0005202608.tif 000017
【図１７】
0005202608.tif 000018
【図１８】
0005202608.tif 000019
【図１９】
0005202608.tif 000020
【図２０】
0005202608.tif 000021
【図２１】
0005202608.tif 000022
【図２２】
0005202608.tif 000023
【図２３】
0005202608.tif 000024
【図２４】
0005202608.tif 000025
【図２５】
0005202608.tif 000026
【図２６】
0005202608.tif 000027
【図２７】
0005202608.tif 000028
【図２８】
0005202608.tif 000029
【図２９】
0005202608.tif 000030
【図３０】
0005202608.tif 000031
【図３１】
0005202608.tif 000032
【図３２】
0005202608.tif 000033
【図３３】
0005202608.tif 000034
【図３４】
0005202608.tif 000035
【図３５】
0005202608.tif 000036
【図３６】
0005202608.tif 000037
【図３７】
0005202608.tif 000038